(57)【要約】【課題】消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュール、ドア照明装置及び窓照明装置を提供することにある。【解決手段】照明モジュール（１Ａ）の導光板（１０）は、内部を導光する光の一部を第１面（１１）から外部に出射させる光出射構造部（１３）を該第１面（１１）の対向面である該導光板（１０）の少なくとも裏面である第２面（１２）に有している。光出射構造部（１３）は、第１ＬＥＤ（４ａ）からの光と第２ＬＥＤ（４ｂ）からの光とでは光出射特性が異なっている。第１ＬＥＤ（４ａ）及び第２ＬＥＤ（４ｂ）は、導光板（１０）に入射される光量をそれぞれ独立して制御可能となっている。【選択図】図１
2014107167.tif 000002
【特許請求の範囲】
【請求項１】
複数の端面から入射した光を導光して光出射面から出射する透光性を有する導光部材と、上記導光部材の第１の端面に光を入射する第１の光源と、上記導光部材の第２の端面に光を入射する第２の光源とを備えた照明モジュールであって、
上記導光部材は、該導光部材の内部を導光する光の一部を光出射面側に導いて光出射面から外部に出射させる光出射構造部を該光出射面の対向面である該導光部材の少なくとも裏面に有しており、
上記光出射構造部は、上記第１の光源からの光と上記第２の光源からの光とでは光出射特性が異なっており、
上記第１の光源及び上記第２の光源は、上記導光部材内部に入射される光量をそれぞれ独立して制御可能となっていることを特徴とする照明モジュール。
【請求項２】
前記光出射構造部は、前記第１の光源からの光と前記第２の光源からの光とでは、前記光出射面における光出射角度が異なる光出射特性を有していることを特徴とする請求項１記載の照明モジュール。
【請求項３】
前記光出射構造部は、前記第１の光源からの光と前記第２の光源からの光とでは、前記導光部材の内部を導光する光の光量に対する光出射面から出射される光の光量の比率が異なる光出射特性を有していることを特徴とする請求項１又は２記載の照明モジュール。
【請求項４】
前記光出射構造部は、前記導光部材の裏面に形成された複数の凹部からなっていることを特徴とする請求項１、２又は３記載の照明モジュール。
【請求項５】
前記光出射構造部における凹部の側壁は、前記導光部材の裏面に対して傾斜した形状又は垂直に切り立った形状にてなっており、
上記光出射構造部における凹部の側壁と上記導光部材の裏面とのなす角度は、前記第１の光源側の側壁と前記第２の光源側の側壁とでは異なっていることを特徴とする請求項４記載の照明モジュール。
【請求項６】
前記光出射構造部の凹部における側壁は、前記第１の光源側の投影面積と前記第２の光源側の投影面積とが互いに異なっていることを特徴とする請求項４又は５記載の照明モジュール。
【請求項７】
前記導光部材の表面に前記光出射面である第１の光出射面が形成され、かつ該導光部材の裏面に該光出射面である第２の光出射面が形成されていると共に、
上記導光部材の内部を導光する光の一部を上記第１の光出射面側に導いて上記第１の光出射面から外部に出射させる前記光出射構造部である第１の光出射構造部が上記第２の光出射面に形成されており、かつ上記導光部材の内部を導光する光の一部を上記第２の光出射面側に導いて該第２の光出射面から外部に出射させる上記光出射構造部である第２の光出射構造部が上記第１の光出射面に形成されており、
上記第１の光出射構造部と上記第２の光出射構造部とは、上記第１の光源からの光と上記第２の光源からの光のうち少なくとも一方に対する光出射特性が異なっていることを特徴とする請求項１〜６のいずれか１項に記載の照明モジュール。
【請求項８】
前記導光部材の裏面における第１領域に前記光出射構造部である第３の光出射構造部が形成されていると共に、上記第１領域と同一の面であって該第１領域とは異なる第２領域に前記光出射構造部である第４の光出射構造部が形成されており、
上記第３の光出射構造部と上記第４の光出射構造部とは、上記第１の光源からの光と上記第２の光源からの光のうち少なくとも一方に対する光出射特性が異なっていることを特徴とする請求項１〜６のいずれか１項に記載の照明モジュール。
【請求項９】
請求項１〜８のいずれか１項に記載の照明モジュールを備えていることを特徴とするドア照明装置。
【請求項１０】
請求項１〜８のいずれか１項に記載の照明モジュールを備えていることを特徴とする窓照明装置。
【発明の詳細な説明】
【技術分野】
【０００１】
本発明は、複数の端面から光を入射させる照明モジュール、ドア照明装置及び窓照明装置に関するものである。
【背景技術】
【０００２】
従来、住宅等におけるドア及び窓には視認性、採光性を考慮してすりガラス又はすりガラス状樹脂を用いることが多い。しかしながら、すりガラス及びすりガラス状樹脂は半透明であるために両面からの視認性という点において透明部材には劣ることとなる。
【０００３】
そこで、従来、例えば特許文献１に開示されているように、透明部材を浴室ドアに適用しつつ必要に応じて遮光する浴室ドアが知られている。この特許文献１に開示された浴室ドアは、浴室と脱衣室との間を仕切る二重構造の透明面材を組み込んだ浴室ドアであって、該透明面材間における上部に超高輝度ＬＥＤを配し通電することにより発光して透明面材に導光させ、透明面材を遮光するようになっている。
【先行技術文献】
【特許文献】
【０００４】
【特許文献１】特開２００６−２４１８７９（２００６年９月１４日公開）
【発明の概要】
【発明が解決しようとする課題】
【０００５】
しかしながら、上記従来の特許文献１に開示された照明モジュールでは、透明面材間の導光においてはＬＥＤ近傍での発光に比べて導光ロスがあるために、浴室ドア全体を発光させて遮光することは困難であり、ＬＥＤから距離が離れるに伴って遮光効果は低くなる。したがって、特許文献１に記載の効果を得るためには極めて高い輝度を有する光源を搭載する必要があり、光源部の大型化を招来すると共に、消費電力も極めて高いものとなり非効率である。
【０００６】
ここで、ドア又は窓の遮光を行う方法としては、例えば、シャッターを取り付けることも考えられ、これにより、透明状態と遮光状態との切り替えは可能である。しかし、シャッター等を取り付け場合には、シャッター駆動モータが必要となり、かつ取り付けが困難である場合もある。また、シャッターによる遮光状態においては内外の光の行き来を完全にシャットアウトするために両面のいずれにおいても視認性はゼロになってしまう。このため、一方の面に対しては遮光性を有し、他方の面に対しては透光性を有するということはできない。
【０００７】
本発明は、上記従来の問題点に鑑みなされたものであって、その目的は、消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュール、ドア照明装置及び窓照明装置を提供することにある。
【課題を解決するための手段】
【０００８】
本発明の一態様に係る照明モジュールは、上記の課題を解決するために、複数の端面から入射した光を導光して光出射面から出射する透光性を有する導光部材と、上記導光部材の第１の端面に光を入射する第１の光源と、上記導光部材の第２の端面に光を入射する第２の光源とを備えた照明モジュールであって、上記導光部材は、該導光部材の内部を導光する光の一部を光出射面側に導いて光出射面から外部に出射させる光出射構造部を該光出射面の対向面である該導光部材の少なくとも裏面に有しており、上記光出射構造部は、上記第１の光源からの光と上記第２の光源からの光とでは光出射特性が異なっており、上記第１の光源及び上記第２の光源は、上記導光部材内部に入射される光量をそれぞれ独立して制御可能となっていることを特徴としている。
【０００９】
本発明の一態様に係るドア照明装置では、上記課題を解決するために、前記記載の照明モジュールを備えていることを特徴としている。
【００１０】
本発明の一態様に係る窓照明装置では、上記課題を解決するために、前記記載の照明モジュールを備えていることを特徴としている。
【発明の効果】
【００１１】
本発明の一態様によれば、消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュール、ドア照明装置及び窓照明装置を提供するという効果を奏する。
【図面の簡単な説明】
【００１２】
【図１】（ａ）は本発明の実施の形態１に係る照明モジュールの構成を示す正面図であり、（ｂ）は（ａ）のＡ−Ａ’線断面図であり、（ｃ）は（ａ）のＢ−Ｂ’線断面図である。
【図２】（ａ）は上記照明モジュールの構成を示す正面図であり、（ｂ）は照明モジュールの構成を示す側面図であり、（ｃ）は照明モジュールの構成を示す要部側面図である。
【図３】上記照明モジュールにおける凹部からなる光出射構造部の構成を示す斜視図である。
【図４】（ａ）は上記照明モジュールにおける第２の光源の入射方向に直交する側から見た導光板の構成及び光の導光方向を示す断面図であり、（ｂ）は第１の光源の入射方向に直交する側から見た導光板の構成及び光の導光方向を示す断面図である。
【図５】上記照明モジュールにおける凹部からなる光出射構造部の側壁の角度と光出射面から取り出される光の光強度との関係を示すグラフである。
【図６】（ａ）は本発明の実施の形態２に係る照明モジュールの構成を示す正面図であり、（ｂ）は（ａ）のＡ−Ａ’線断面図であり、（ｃ）は（ａ）のＢ−Ｂ’線断面図である。
【図７】（ａ）は上記照明モジュールにおける第１の光源による光出射構造部での反射光の光路を示す導光板の断面図であり、（ｂ）は第２の光源による光出射構造部での反射光の光路を示す導光板の断面図である。
【図８】（ａ）は上記照明モジュールを備えたドア照明装置において第１の光源を点灯したときの照明状態を示す側面図であり、（ｂ）は該ドア照明装置において第２の光源を点灯したときの照明状態を示す側面図であり、（ｃ）は（ｂ）は該ドア照明装置において第１の光源及び第２の光源の両方を点灯したときの照明状態を示す側面図である。
【図９】（ａ）は本発明の実施の形態３に係る照明モジュールの構成を示す正面図であり、（ｂ）は上記照明モジュールの第１領域に配置される凹部からなる光出射構造部の構成を示す図であり、（ｃ）は上記照明モジュールの第２領域に配置される凹部からなる光出射構造部の構成を示す図である。
【図１０】（ａ）は上記照明モジュールにおける第１の光源及び第２の光源の両方を点灯したときの照明状態を示す正面図であり、（ｂ）は上記照明モジュールにおける第１の光源を点灯したときの照明状態を示す正面図であり、（ｃ）は上記照明モジュールにおける第２の光源を点灯したときの照明状態を示す正面図である。
【図１１】（ａ）は本発明の実施の形態４に係る照明モジュールを備えた窓照明装置における非点灯状態を示す断面図であり、（ｂ）は上記照明モジュールを備えた窓照明装置における点灯状態を示す断面図である。
【発明を実施するための形態】
【００１３】
〔実施の形態１〕
本発明の一実施形態について図１〜図５に基づいて説明すれば、以下のとおりである。
【００１４】
本実施の形態では、本発明の照明モジュールが、例えば住宅用ドアに取り付けられるドア照明装置に用いる場合について説明する。尚、本発明のドア照明装置は、ドアの一部に対してはめ込まれているか又はそれ自体でドアを構成していてもよい。また、ドア照明装置は、玄関ドア及び風呂用ドア等の住宅用ドアの外、店舗用ドア、オフィス用ドア又は各種施設用ドアへの適用が可能である。さらに、本発明の照明モジュールは、ドア照明装置に限らず、天窓を含む窓の窓照明装置にも適用が可能であると共に、ドアや窓以外のパーティション等の住宅用建材、建造物の壁面や床面、戸棚やキッチン収納等の家具、門柱、又は公共向けエクステリア（フェンス、サイン、掲示板、誘導灯、手すり等）に組み込まれてもよい。
【００１５】
（照明モジュールの構成）
本実施の形態の照明モジュールの構成について、図２（ａ）（ｂ）（ｃ）に基づいて説明する。図２（ａ）は照明モジュールの構成を示す正面図であり、図２（ｂ）は照明モジュールの構成を示す側面図であり、図２（ｃ）は照明モジュールの構成を示す要部側面図である。
【００１６】
本実施の形態の照明モジュール１Ａは、図２（ａ）（ｂ）（ｃ）に示すように、導光部材としての導光板１０、保護用ガラス３、光源としてのＬＥＤ（Light Emitting Diode：発光ダイオード）４、導光板保持部５及びフレーム６を備えている。この照明モジュール１Ａは、例えば、２つの部屋を仕切る壁に設けられたドアに取り付けられている。
【００１７】
上記照明モジュール１Ａでは、ＬＥＤ４から出射された光は導光板１０によって導光され、導光板１０の表面及び光出射面としての第１面１１から主に出射される。この光によって導光板１０の第１面１１の側から、導光板１０における該第１面１１と対向する導光板１０の裏面としての第２面１２の側に位置する物体を見たときの視認性を低下させることができる。
【００１８】
次に各部材の構成について説明する。
【００１９】
導光板１０は、導光板保持部５に形成された溝にはめ込まれることにより、フレーム６に固定されるようになっている。導光板１０の第１面１１及び第２面１２の形状は、例えば、方形からなっている。ただし、導光板１０の形状は、必ずしも方形である必要はなく、他の多角形でもよく、又は円形等のその他の図形でもよい。また、導光板１０は平板である必要はなく、湾曲していてもよい。
【００２０】
また、導光板１０は、例えば、メタクリル樹脂、アクリル系樹脂、ポリカーボネート系樹脂、ポリエステル系樹脂、塩化ビニル系樹脂等の透過率の高い合成樹脂からなっており、透光性を有している。このため、ＬＥＤ４が点灯していない状態においては、一方の部屋からの光は導光板１０を透過して他方の部屋へ入射する。したがって、両室から互いの部屋を臨めるようになる。
【００２１】
また、導光板１０の第２面１２には、後述するように凹部からなる光出射構造部１３が設けられており、ＬＥＤ４の点灯時には、凹部からなる光出射構造部１３によってＬＥＤ４から出射された光の配光制御（配向制御）が行われる。凹部からなる光出射構造部１３は、導光板１０の内部を伝搬する光の伝搬方向を変化させる光学部材であり、略同一形状の複数の凹部が第２面１２に形成されている。この凹部は、導光板１０の第２面１２において、約２５０μｍの間隔でマトリクス状に形成されている。１つの凹部は、例えば縦３０μｍ、横３０μｍの開口部を有する、深さ１５μｍからなっている。第２面１２に対する凹部の占有率は、例えば、１．４％であるが、当該占有率は適宜設定されればよい。占有率が高くなれば、導光板１０の透光性が低下し、ＬＥＤ４を点灯しない状態においても導光板１０を通して屋内の物体を見たときの視認性が低下する。逆に、占有率が低ければ、導光板１０の透光性は高くなる。ただし、導光板１０からの出射光は少なくなるために、適宜設定を行う必要がある。尚、光出射構造部１３の凹部の詳細については後述する。
【００２２】
上記保護用ガラス３・３は、導光板１０を保護するためのガラス板であり、導光板１０の第１面１１側及び第２面１２側にそれぞれ配置されている。この保護用ガラス３は、導光板保持部５とフレーム６とに狭持されることによって、その位置が固定されている。
【００２３】
尚、保護用ガラス３に赤外線カット機能及び／又は紫外線カット機能を持たせてもよい。また、保護用ガラス３は建材用構造体としては不燃及び難燃、耐環境性、防犯性等を鑑みるとガラスが有効であるが、用途によってはガラスに限るものではなく、合成樹脂や薄膜金属等も使用可能である。また、保護用ガラスは無色透明である必要はなく、色付けや加飾によりデザイン性を持たせることも可能である。
【００２４】
上記ＬＥＤは、照明用の光源であり、本実施の形態では、図１（ａ）に示すように、導光板１０の少なくとも２辺の近傍に配置されている。尚、図２（ｂ）においては、照明モジュール１Ａをドアに取り付けた状態における、導光板１０の鉛直下側の端部の近傍に配置されたＬＥＤ４のみを示している。より詳細には、ＬＥＤ４の基板は、上記鉛直下側の端部を狭持する導光板保持部５の側面に配置されている。
【００２５】
ＬＥＤ４の出力は、特に限定されないが、第１面１１から出射される光によってプライバシー保護効果が得られる程度の出力とする。ＬＥＤ４の出力をユーザが調節できる構成としてもよい。
【００２６】
ＬＥＤ４から出射される光は可視光（４００ｎｍ以上、７８０ｎｍ以下）であればよく、例えば白色であるが、当該光の色は特に限定されない。ＬＥＤ４の点灯／非点灯の切り替えは、ＬＥＤ４に供給される駆動電力の供給制御を行う電源制御装置によって行われ、当該電源制御装置は、照明モジュール１Ａの内部にあっても外部にあってもよい。
【００２７】
上記電源制御装置は、例えば、屋内の壁面に配設されたスイッチである。ここで、電力供給は、ドアの場合においては、金属ヒンジを介して供給、非接触方式による供給、ドア内に設置した電池による供給、本照明モジュールと一体化した太陽電池による供給、などが可能である。
【００２８】
また、ＬＥＤ４は、複数のＬＥＤが共通の基板上に配列されたＬＥＤバーであってもよく、個別のＬＥＤ基板を配列させてもよい。また、互いに異なる波長の光を出射する複数種類のＬＥＤ４を組み合わせて用いてもよい。
【００２９】
また、照明用の光源として、ＬＥＤ以外の光源を用いてもよい。例えば、半導体レーザと蛍光体との組み合わせを光源として用いてもよい。
【００３０】
上記導光板保持部５は、導光板１０を保持することにより、フレーム６に対する導光板１０の相対位置を固定するものである。導光板保持部５は、フレーム６の一部であってもよい。
【００３１】
上記導光板保持部５の材質は、例えば、金属であり、特に、軽量化及び放熱の観点からアルミニウムであることが好ましいが、特に限定されない。
【００３２】
また、導光板保持部５は、導光板１０の４辺のうちの少なくとも１辺を保持すればよいが、導光板１０が有する鉛直上側の端部を保持することによって、鉛直下側の端部を保持するよりも安定的に導光板１０を保持することができる。
【００３３】
上記フレーム６は、照明モジュール１Ａの外枠を形成する部材であり、例えば、アルミニウム（Ａｌ）等の金属からなるものであるが、フレーム６の材質は、特に限定されない。
【００３４】
（照明モジュールの透光性・遮光性の切り替え制御及び照明の明るさの調整）
本実施の形態の照明モジュール１Ａにおいては、消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュール、ドア照明装置及び窓照明装置を提供するものとなっている。
【００３５】
以下、このような目的を達成するための照明モジュール１Ａの構成について、図１（ａ）（ｂ）（ｃ）に基づいて以下に詳細に説明する。図１（ａ）は照明モジュール１Ａの構成を示す正面図であり、図１（ｂ）は図１（ａ）のＡ−Ａ’線断面図であり、図１（ｃ）は図１（ａ）のＢ−Ｂ’線断面図である。
【００３６】
まず、本実施の形態の照明モジュール１Ａでは、光源としてのＬＥＤ４は、図１（ａ）に示すように、方形の導光板１０の２辺の端部に設けられている。一方は導光板１０の一方の側端面である第１の端面１０ａに配設された第１の光源としての第１ＬＥＤ４ａであり、他方は導光板１０の他方の側端面である第２の端面１０ｂに配設された第２の光源としての第２ＬＥＤ４ｂである。尚、本実施の形態では、第１ＬＥＤ４ａ及び第２ＬＥＤ４ｂは、方形の導光板１０の一方の第１の端面１０ａに直交する第２の端面１０ｂに配置されている。ただし、必ずしもこれに限らず、第１ＬＥＤ４ａ及び第２ＬＥＤ４ｂは、導光板１０の対向する一対の端部に設けられていてもよい。また、本実施の形態では、２個の光源が導光板１０の２辺の端部にそれぞれ設けられているが、必ずしもこれに限らず、導光板１０のさらに他の辺の端部に設けられていてもよい。すなわち、本実施の形態においては、少なくとも導光板１０の２辺の端部に２個設けられている必要がある。
【００３７】
この結果、本実施の形態の照明モジュール１Ａでは、第１ＬＥＤ４ａ及び第２ＬＥＤ４ｂを用いて異なる二方向である導光板１０の第１の端面１０ａ及び第２の端面１０ｂから光を入射する。
【００３８】
そして、本実施の形態の照明モジュール１Ａでは、図１（ｂ）（ｃ）に示すように、導光板１０の少なくとも裏面である第２面１２には光出射構造部１３が形成されている。尚、図１（ａ）（ｂ）（ｃ）においては、光出射構造部１３が導光板１０の裏面にのみ設けられている場合について示している。また、光出射構造部１３が導光板１０の裏面及び表面の両面に形成される構成については、後述する実施の形態２にて説明する。
【００３９】
上記導光板１０の裏面に設けた光出射構造部１３によって、第１ＬＥＤ４ａ及び第２ＬＥＤ４ｂから入射したそれぞれの光は導光板１０の内部を導光し、その一部が光出射構造部１３にて光出射面である第１面１１側に導かれ、第１面１１から外部に出射される。
【００４０】
ここで、本実施の形態の照明モジュール１Ａにおける光出射構造部１３の具体的構成について、図３〜図５に基づいて説明する。図３は凹部からなる光出射構造部の構成を示す斜視図である。図４（ａ）は第２の光源の入射方向に直交する側から見た導光板の構成及び光の導光方向を示す断面図であり、図４（ｂ）は第１の光源の入射方向に直交する側から見た導光板の構成及び光の導光方向を示す断面図である。図５は凹部からなる光出射構造部１３の側壁の角度と光出射面から取り出される光の光強度との関係を示すグラフである。
【００４１】
図３に示すように、本実施の形態の照明モジュール１Ａでは、光出射構造部１３は、導光板１０の裏面に形成された複数の凹部からなっているとすることができる。
【００４２】
これにより、導光板１０の裏面である第２面１２に形成された複数の凹部からなる光出射構造部１３は反射プリズムとして機能するので、光出射面側に光を反射することにより光出射面である第１面１１から光を出射することができる。
【００４３】
また、本実施の形態では、図４（ａ）（ｂ）に示すように、この凹部からなる光出射構造部１３の側壁が導光板１０の裏面である第２面１２に対して傾斜した形状にてなっており、かつ第１ＬＥＤ４ａからの光の方向と第２ＬＥＤ４ｂからの光の方向との二方向において傾斜角度θが異なっている。すなわち、光出射構造部１３における凹部の側壁と導光板１０の第２面１２とのなす傾斜角度θは、第１ＬＥＤ４ａ側の側壁と第２ＬＥＤ４ｂ側の側壁とでは異なっている。詳細には、第１ＬＥＤ４ａの入射方向に直交する側から凹部を見たときには、図４（ａ）に示すように例えば三角形となっている一方、第２ＬＥＤ４ｂの入射方向に直交する側から凹部を見たときには、図４（ｂ）に示すように例えば台形となっている。尚、三角形及び台形について、凹部における第１ＬＥＤ４ａ側及び第２ＬＥＤ４ｂ側の側壁の傾斜面の傾斜角度θは、導光板１０の裏面に対して鋭角又は９０°となっていることが光出射面からの出射光の出射角度の制御及び穿設の行い易さの観点から好ましい。
【００４４】
このように、光出射構造部１３における凹部の側壁の傾斜角度θが、第１ＬＥＤ４ａからの光の方向と第２ＬＥＤ４ｂからの光の方向との二方向で異なることにより光出射特性に違いを生じさせることができる。
【００４５】
すなわち、凹部からなる光出射構造部１３の側壁の傾斜角度θと光出射方向とには大きな相関がある。このため、傾斜角度θの違いにより、二方向の光に対して光出射方向が異なるようにすることができる。
【００４６】
また、凹部からなる光出射構造部１３の側壁の傾斜角度θを二方向の光に対して互いに異なるようにすることにより、光出射面である第１面１１からの光出射率を異ならせるようにすることができる。
【００４７】
具体的には、本実施の形態では、例えば、図４（ａ）に示す凹部の側壁の傾斜角度θは、図４（ｂ）に示す凹部の側壁の傾斜角度θよりも小さいものとなっている。
【００４８】
この結果、図４（ａ）に示す断面三角形の凹部からなる光出射構造部１３の側壁の傾斜角度θが小さい場合には、垂直方向への反射が大きくなり、第１面１１からの取り出し光量が大きくなる。これに対して、図４（ｂ）に示す断面台形の凹部からなる光出射構造部１３の側壁の傾斜角度θが大きい場合には、垂直方向への反射が小さくなり、第１面１１からの取り出し光量が小さいものとなる。
【００４９】
したがって、導光板１０の内部を導光する光の進む方向に対して凹部からなる光出射構造部１３の側壁の傾斜角度θを選ぶことにより、第１面１１からの取出量の制御及び出射光角度の制御が可能になる。
【００５０】
詳細には、凹部からなる光出射構造部１３の側面の傾斜角度θと光出射面である第１面１１から取り出される光の光強度との関係は、図５に示すように、導光板１０に並行に導光する光に対しては凹部からなる光出射構造部１３の側壁の傾斜角度θが５０°付近が最も光出射率が高く、傾斜角度θが８０°付近はそれに対して１０分の１程度の光出射率となる。この理由は、傾斜角度θが５０°付近のときに光出射面である第１面１１に垂直に光が反射されるため、導光板１０の表面つまり光出射面である第１面１１において全反射条件を破って外部に出射され易いためである。
【００５１】
このように、本実施の形態の凹部からなる光出射構造部１３においては、光出射角度と光出射率とを同時に制御することが可能となる。
【００５２】
ここで、本実施の形態照の照明モジュール１Ａでは、凹部からなる光出射構造部１３の側壁は、第１ＬＥＤ４ａ側の投影面積と第２ＬＥＤ４ｂ側の投影面積とが互いに異なっているとすることができる。この場合、前述の凹部の側壁の傾斜角度θは異なっていても又は同じであってもよい。
【００５３】
このように、凹部からなる光出射構造部１３の側壁の投影面積が、第１ＬＥＤ４ａからの光の方向と第２ＬＥＤ４ｂからの光の方向との二方向で異なることにすることによっても、光出射特性に違いを生じさせることができる。
【００５４】
具体的には、例えば、凹部からなる光出射構造部１３において、一方向に長い直方体の凹形状に形成する。これにより、光出射率は投影面積に略比例するため、投影面積を互いに異ならせることによって、二方向の光に対して光出射率が異ならせることができる。
【００５５】
尚、本実施の形態では、凹部からなる光出射構造部１３の側壁の傾斜角度θと投影面積とを組み合わせて、光出射角度と光出射率とが適正になるようにしている。
【００５６】
この結果、本実施の形態の照明モジュール１Ａでは、導光板１０の裏面である第２面１２に凹部からなる光出射構造部１３を形成するという簡単な構成で、第１ＬＥＤ４ａからの光と第２ＬＥＤ４ｂからの光とでは光出射特性が異なっているという光出射構造部１３を形成することができる。
【００５７】
上記構成の照明モジュール１Ａの透光性・遮光性の切り替え制御及び照明の明るさの調整について、以下に説明する。
【００５８】
まず、本実施の形態においては、二方向の側壁の傾斜角度θが異なる凹部からなる光出射構造部１３を導光板１０の裏面である第２面１２にのみ光出射構造部１３を設けている。そして、図１（ｂ）に示すように、第１ＬＥＤ４ａ側から見たときの光出射構造部１３は、断面台形の凹部からなっているので、第１ＬＥＤ４ａによって導光板１０の内部を導光する光は大部分が導光板１０の第１面１１から出射光Ｌａ１として出射されるが、出射光Ｌａ１の強度は余り大きくない。尚、導光板１０の第２面１２から出射光Ｌａ２が僅かに出射されるのみである。
【００５９】
一方、図１（ｃ）に示すように、第２ＬＥＤ４ｂ側から見たときの光出射構造部１３は、断面三角形の凹部からなっているので、第２ＬＥＤ４ｂによって導光板１０の内部を導光する光は大部分が導光板１０の第１面１１から出射光Ｌｂ１として出射されるが、この場合は、出射光Ｌｂ１の強度は大きい。尚、導光板１０の第２面１２からは出射光Ｌｂ２が僅かに出射されるのみである。
【００６０】
このため、導光板１０の第１面１１側の外方から照明モジュール１Ａを見た場合には、導光板１０が面状発光体となるので、透光性が無くなり遮光性を有するものとなる。
【００６１】
一方、導光板１０の裏面である第２面１２側の外方から照明モジュール１Ａを見た場合には、導光板１０からは光が僅かしか出射されてこないので透光性を有し、導光板１０の裏面である第２面１２側から導光板１０の第１面１１側の外方を見ることができる。
【００６２】
この結果、第１ＬＥＤ４ａ及び第２ＬＥＤ４ｂの両方をオフにすれば、導光板１０は透光性を有しているので、照明モジュール１Ａは透光性を有している。また、第１ＬＥＤ４ａ若しくは第２ＬＥＤ４ｂのいずれか一方又は第１ＬＥＤ４ａ及び第２ＬＥＤ４ｂの両方をオンにすれば、照明モジュール１Ａは、導光板１０の第１面１１側の外方からは遮光性を有し、導光板１０の第２面１２側の外方からは透光性を有する。したがって、導光板１０の第１面１１側の外方からは透光性及び遮光性の切り替えが可能となる。
【００６３】
また、本実施の形態では、第１ＬＥＤ４ａ及び第２ＬＥＤ４ｂは、導光板１０の内部に入射される光量をそれぞれ独立して制御可能となっている。これにより、光量に差を設けた第１ＬＥＤ４ａ又は第２ＬＥＤ４ｂでの点灯により、導光板１０の第１面１１から出射される明るさに差を設けることができる。例えば、導光板１０の第１面１１から出射される光の明るさと第２面１２から出射される光の明るさの比を３：１〜１０：１等に変化させることができる。
【００６４】
この結果、照明の明るさを調整し得る照明モジュール１Ａを提供することができる。また、照明の明るさを調整することができるということは、透光性及び遮光性の段階的切り替えを行うことができるものとなる。
【００６５】
また、本実施の形態では、第１ＬＥＤ４ａと第２ＬＥＤ４ｂとを用いて二方向から導光板１０に光を入射させるので、第１ＬＥＤ４ａから遠方の光量不足となる領域に対しては、第２ＬＥＤ４ｂにて光量を補うことができる。このため、導光板１０の第１面１１における全領域から充分に光を出射することができるので、全面の遮光性を確保することができる。さらに、電力量を増加して第１ＬＥＤ４ａのみで遠方の光量不足となる領域に対しても光量を十分にするよりも、第１ＬＥＤ４ａと第２ＬＥＤ４ｂとを用いて二方向から導光板１０に光を入射させた方が、結果的に電力量が小さくなる。
【００６６】
したがって、消費電力を抑えて全面の遮光性を確保し得ると共に、第１面１１側からの透光性及び遮光性の切り替えが可能であり、かつ透光性及び遮光性の段階的切り替え、及び照明の明るさの調整が可能となる照明モジュール１Ａを提供することができる。
【００６７】
尚、本実施の形態では、可動シャッター等の可動部材を可動させて光出射特性を制御する方式に比べて光出射特性の制御が容易である。
【００６８】
〔実施の形態２〕
本発明の他の実施の形態について図６〜図８に基づいて説明すれば、以下のとおりである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００６９】
前記実施の形態１の照明モジュール１Ａにおいては、導光板１０における光出射面である第１面１１に対向する導光板１０の裏面である第２面１２にのみ光出射構造部１３が形成されていたが、本実施の形態の照明モジュール１Ｂでは、図６（ｂ）（ｃ）に示すように、導光板１０における光出射面である第１面１１には光出射構造部１３が設けられていると共に、導光板１０の裏面である第２面１２にも光出射構造部１３が設けられている点が異なっている。尚、導光板１０の裏面である第２面１２にも光出射構造部１３も、導光板１０における光出射面である第１面１１に設けられた二方向の側壁の傾斜角度θが互いに異なる凹部からなる光出射構造部１３となっている。
【００７０】
本実施の形態の照明モジュール１Ｂの構成について、図６（ａ）（ｂ）（ｃ）及び図７（ａ）（ｂ）に基づいて説明する。図６（ａ）は照明モジュール１Ｂの構成を示す正面図であり、図６（ｂ）は図６（ａ）のＡ−Ａ’線断面図であり、図６（ｃ）は図１（ａ）のＢ−Ｂ’線断面図である。図７（ａ）は第１ＬＥＤ４ａによる光出射構造部１３での反射光の光路を示す導光板１０の断面図であり、図７（ｂ）は第２ＬＥＤ４ｂによる光出射構造部１３での反射光の光路を示す導光板１０の断面図である。
【００７１】
本実施の形態の照明モジュール１Ｂは、図６（ａ）に示すように、前記実施の形態１の照明モジュール１Ａと同様に、光源は、方形の導光板１０の２辺の端部において、第１の光源としての第１ＬＥＤ４ａが導光板１０の一方の側端面である第１の端面１０ａに配設されており、第２の光源としての第２ＬＥＤ４ｂが導光板１０の他方の側端面である第２の端面１０ｂに配設されている。尚、本実施の形態においても、第１ＬＥＤ４ａ及び第２ＬＥＤ４ｂは、方形の導光板１０の一方の第１の端面１０ａに直交する第２の端面１０ｂに配置されている。ただし、必ずしもこれに限らず、第１ＬＥＤ４ａ及び第２ＬＥＤ４ｂは、導光板１０の対向する一対の端部に設けられていてもよい。また、本実施の形態では、２個の光源が導光板１０の２辺の端部にそれぞれ設けられているが、必ずしもこれに限らず、導光板１０のさらに他の辺の端部に設けられていてもよい。すなわち、本実施の形態においては、少なくとも導光板１０の２辺の端部に２個設けられている必要がある。
【００７２】
この結果、本実施の形態の照明モジュール１Ａでは、第１ＬＥＤ４ａ及び第２ＬＥＤ４ｂを用いて異なる二方向である導光板１０の第１の端面１０ａ及び第２の端面１０ｂから光を入射する。
【００７３】
そして、本実施の形態の照明モジュール１Ｂでは、図６（ｂ）（ｃ）に示すように、導光板１０の裏面である第２面１２及び表面である第１面１１の両方に光出射構造部１３・１３が設けられている。
【００７４】
ただし、本実施の形態では、第１ＬＥＤ４ａから見た場合には、導光板１０の裏面である第２面１２に形成された光出射構造部１３は断面三角形の凹部からなっていると共に、導光板１０の表面である第１面１１に形成された光出射構造部１３は断面台形の凹部からなっている。
【００７５】
一方、第２ＬＥＤ４ｂから見た場合には、導光板１０の裏面である第２面１２に形成された光出射構造部１３は断面台形の凹部からなっていると共に、導光板１０の表面である第１面１１に形成された光出射構造部１３は断面三角形の凹部からなっている。
【００７６】
上記構成の導光板１０の両面に各凹部が形成された光出射構造部１３を有する照明モジュール１Ｂにおいては、第１ＬＥＤ４ａを点灯した場合には、図７（ａ）に示すように、導光板１０の第２面１２に形成された断面三角形の凹部からなる光出射構造部１３によって、大部分が第１面１１から高強度の出射光Ｌａ１が出射される。一方、第２ＬＥＤ４ｂを点灯した場合には、図７（ｂ）に示すように、導光板１０の第１面１１に形成された断面三角形の凹部からなる光出射構造部１３によって、大部分が第２面１２から高強度の出射光Ｌｂ２が出射される。
【００７７】
したがって、本実施の形態の照明モジュール１Ｂを備えたドア照明装置２０においては、第１ＬＥＤ４ａを点灯したときには、図８（ａ）に示すように、導光板１０の第１面１１側の部屋Ａ側が照明される。
【００７８】
このため、導光板１０の第１面１１側の外方から照明モジュール１Ｂを見た場合には、導光板１０が面状発光体となるので、透光性がなくなり遮光性を有するものとなる。また、導光板１０の裏面である第２面１２側の外方から照明モジュール１Ｂを見た場合には、導光板１０からは光が僅かしか出射されてこないので透光性を有し、導光板１０の裏面である第２面１２側から導光板１０の第１面１１側の外方を見ることができる。
【００７９】
一方、ドア照明装置２０において、第２ＬＥＤ４ｂを点灯したときには、図８（ｂ）に示すように、導光板１０の第２面１２側の部屋Ｂ側が照明される。
【００８０】
このため、導光板１０の第２面１２側の外方から照明モジュール１Ｂを見た場合には、導光板１０が面状発光体となるので、透光性がなくなり遮光性を有するものとなる。また、導光板１０の表面である第１面１１側の外方から照明モジュール１Ｂを見た場合には、導光板１０からは光が僅かしか出射されてこないので透光性を有し、導光板１０の表面である第１面１１側から導光板１０の第２面１２側の外方を見ることができる。
【００８１】
さらに、ドア照明装置２０において、第１ＬＥＤ４ａと第２ＬＥＤ４ｂとの両方を点灯したときには、図８（ｃ）に示すように、導光板１０の第１面１１側の部屋Ａ側と導光板１０の第２面１２側の部屋Ｂ側との両方が照明される。
【００８２】
このため、導光板１０の第１面１１及び第２面１２の両面が面状発光体となるので、いずれの外方から照明モジュール１Ｂを見た場合においても、透光性がなくなり遮光性を有するものとなる。
【００８３】
この結果、第１ＬＥＤ４ａ及び第２ＬＥＤ４ｂの両方をオフにすれば、導光板１０は透光性を有しているので、照明モジュール１Ｂ及びドア照明装置２０は透光性を有している。また、第１ＬＥＤ４ａ及び第２ＬＥＤ４ｂのいずれか一方をオンにすれば、照明モジュール１Ｂ及びドア照明装置２０は、導光板１０のいずれか一方の外方からは遮光性を有し、他方の外方からは透光性を有する。さらに、第１ＬＥＤ４ａ及び第２ＬＥＤ４ｂの両方をオンにすれば、照明モジュール１Ｂ及びドア照明装置２０は、両方の外方に対して遮光性を有する。
【００８４】
したがって、第１ＬＥＤ４ａ及び第２ＬＥＤ４ｂを切り替えて点灯することにより、透光性及び遮光性の切り替えが可能となる。
【００８５】
また、本実施の形態では、第１ＬＥＤ４ａ及び第２ＬＥＤ４ｂは、導光板１０の内部に入射される光量をそれぞれ独立して制御可能となっている。これにより、光量に差を設けた第１ＬＥＤ４ａ又は第２ＬＥＤ４ｂでの点灯により、導光板１０から出射される明るさに差を設けることができる。
【００８６】
この結果、照明の明るさを調整し得る照明モジュール１Ｂを提供することができる。また、照明の明るさを調整することができるということは、透光性及び遮光性の段階的切り替えを行うことができるものとなる。
【００８７】
また、本実施の形態では、第１ＬＥＤ４ａと第２ＬＥＤ４ｂとを用いて二方向から導光板１０に光を入射させるので、第１ＬＥＤ４ａから遠方の光量不足となる領域に対しては、第２ＬＥＤ４ｂにて光量を補うことができる。このため、導光板１０の第１面１１における全領域から充分に光を出射することができるので、全面の遮光性を確保することができる。さらに、電力量を増加して第１ＬＥＤ４ａのみで遠方の光量不足となる領域に対しても光量を十分にするよりも、第１ＬＥＤ４ａと第２ＬＥＤ４ｂとを用いて二方向から導光板１０に光を入射させた方が、結果的に電力量が小さくなる。
【００８８】
したがって、消費電力を抑えて全面の遮光性を確保し得ると共に、第１面１１側からの透光性及び遮光性の切り替えが可能であり、かつ透光性及び遮光性の段階的切り替え、及び照明の明るさの調整が可能となる照明モジュール１Ｂ及びドア照明装置２０を提供することができる。
【００８９】
〔実施の形態３〕
本発明の他の実施の形態について図９及び図１０に基づいて説明すれば、以下のとおりである。なお、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００９０】
前記実施の形態２の照明モジュール１Ｂにおいては、導光板１０の両面に二方向の側壁の傾斜角度θが互いに異なる凹部からなる光出射構造部１３が設けられていた。しかし、本実施の形態の照明モジュール１Ｃにおいては、導光板１０の片面の２つの領域に異なるタイプの凹部からなる光出射構造部１３が設けられて点が異なっている。
【００９１】
本実施の形態の照明モジュール１Ｃの構成について、図９（ａ）（ｂ）（ｃ）に基づいて説明する。図９（ａ）は照明モジュール１Ｃの構成を示す正面図であり、図９（ｂ）は第１領域Ｓ１に配置される凹部からなる光出射構造部１３の構成を示す正面図及び断面図であり、図９（ｃ）は第２領域Ｓ２に配置される凹部からなる光出射構造部１３の構成を示す正面図及び断面図である。
【００９２】
本実施の形態の照明モジュール１Ｃは、図９（ａ）に示すように、導光板１０の裏面における第１領域Ｓ１に第３の光出射構造部としての光出射構造部１３が形成されていると共に、第１領域Ｓ１と同一の面であって第１領域Ｓ１とは異なる第２領域Ｓ２に第４の光出射構造部としての光出射構造部１３が形成されている。
【００９３】
具体的には、第１領域Ｓ１に形成された第３の光出射構造部としての光出射構造部１３は、図９（ｂ）に示すように、第１ＬＥＤ４ａと垂直方向に長く伸びる断面三角形の凹部が複数設けられる一方、第２領域Ｓ２に形成された第４の光出射構造部としての光出射構造部１３は、図９（ｃ）に示すように、第２ＬＥＤ４ｂと垂直方向に長く伸びる断面三角形の凹部が複数設けられている。
【００９４】
この結果、第３の光出射構造部である光出射構造部１３と第４の光出射構造部である光出射構造部１３とは、第１ＬＥＤ４ａからの光と第２ＬＥＤ４ｂからの光のうち少なくとも一方に対する光出射特性が異なっている。
【００９５】
この構成により、第１ＬＥＤ４ａ及び第２ＬＥＤ４ｂの両方を点灯した場合には、図１０（ａ）に示すように、第１領域Ｓ１及び第２領域Ｓ２の両方を照明することができる。一方、第１ＬＥＤ４ａを点灯した場合には、図１０（ｂ）に示すように、第１領域Ｓ１を照明することができ、第２ＬＥＤ４ｂを点灯した場合には、図１０（ｃ）に示すように、第２領域Ｓ２の両方を照明することができる。
【００９６】
これにより、本実施の形態の照明モジュール１Ｃでは、二方向の第１ＬＥＤ４ａ及び第２ＬＥＤ４ｂの出力制御により、導光板１０の出射領域を制御することができる。
【００９７】
〔実施の形態４〕
本発明の他の実施の形態について図１１に基づいて説明すれば、以下のとおりである。尚、本実施の形態において説明すること以外の構成は、前記実施の形態１〜実施の形態３と同じである。また、説明の便宜上、前記の実施の形態１〜実施の形態３の図面に示した部材と同一の機能を有する部材については、同一の符号を付し、その説明を省略する。
【００９８】
本実施の形態では、前記実施の形態１〜３に記載した照明モジュール１Ａ・１Ｂ・１Ｃを窓照明装置に適用した場合について、図１１（ａ）（ｂ）に基づいて説明する。図１１（ａ）は窓照明装置において照明モジュールが消灯している状態を示す断面図であり、図１１（ｂ）は窓照明装置において照明モジュールが点灯している状態を示す断面図である。
【００９９】
本実施の形態の窓照明装置３０は、図１１（ａ）（ｂ）に示すように、天井３１に配設されており、前記照明モジュール１Ａ・１Ｂ・１Ｃのいずれかを備えている。上記窓照明装置３０では、照明モジュール１Ａ・１Ｂ・１Ｃの導光板１０の第１面１１は屋内側に位置し、第２面１２は屋外側に位置している。
【０１００】
窓照明装置３０は、消灯時には天窓として機能し、点灯時には室内照明として機能する。第１ＬＥＤ４ａ若しくは第２ＬＥＤ４ｂのいずれか一方、又は第１ＬＥＤ４ａ及び第２ＬＥＤ４ｂの両方から出射された光は、屋外側には殆ど出射しないため、窓照明装置３０を室内照明として利用してもロスは少ない。
【０１０１】
窓照明装置３０では、消灯時には透光性を有しているので採光を行うことができるが、太陽光の向きによっては、前記光出射構造部１３によって屋内への到達量を制御できる。例えば、導光板１０に対して小さい角度で入射する冬の太陽光は、導光板１０の透過率が高く、導光板１０に対して大きい角度で入射する夏の太陽光は、導光板１０の透過率が低くなるように光出射構造部１３の凹部の形状が規定されていてもよい。
【０１０２】
また、太陽光の向きが変わっても常に透過光が同じ角度成分を持つように光出射構造部１３の凹部の形状を規定しても良い。これにより、太陽光の角度にかかわらず採光された光を一定の場所に照射することも可能であり、逆に光を照射したくないエリアを避けて太陽光を採光することも可能である。
【０１０３】
また、前記保護用ガラス３に赤外線カット機能又は紫外線カット機能を持たせてもよい。
【０１０４】
また、シースルー型の太陽電池を本窓照明装置３０に対して屋外側に設置又は貼付を行うことによって、昼間は採光及び発電を行い、夜間は昼間の発電電力を用いて照明として用いることができると共に、屋外側へ漏れ出る損失光を太陽電池にて回収することによって低消費電力に寄与することが可能になる。
【０１０５】
また、本実施の形態の窓照明装置３０を例えば、洗面台及び浴室等に設置されている鏡の全部又は一部に貼り付けることによって、消灯時は透明のために通常の鏡として機能を阻害することはなく、点灯時においては貼り付け部が面照明として機能することによって鏡にて視認したい部分を最も近い位置から光照射することが可能な照明としての機能を持たせることが可能になる。
【０１０６】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１０７】
〔まとめ〕
本発明の一態様に係る照明モジュール１Ａ・１Ｂ・１Ｃは、複数の端面から入射した光を導光して光出射面から出射する透光性を有する導光部材（導光板１０）と、上記導光部材（導光板１０）の第１の端面１０ａに光を入射する第１の光源（第１ＬＥＤ４ａ）と、上記導光部材（導光板１０）の第２の端面１０ｂに光を入射する第２の光源（第２ＬＥＤ４ｂ）とを備えた照明モジュール１Ａ・１Ｂ・１Ｃであって、上記導光部材（導光板１０）は、該導光部材（導光板１０）の内部を導光する光の一部を光出射面側に導いて光出射面から外部に出射させる光出射構造部１３を該光出射面の対向面である該導光部材（導光板１０）の少なくとも裏面（第２面１２）に有しており、上記光出射構造部１３は、上記第１の光源（第１ＬＥＤ４ａ）からの光と上記第２の光源（第２ＬＥＤ４ｂ）からの光とでは光出射特性が異なっており、上記第１の光源（第１ＬＥＤ４ａ）及び上記第２の光源（第２ＬＥＤ４ｂ）は、上記導光部材（導光板１０）内部に入射される光量をそれぞれ独立して制御可能となっていることを特徴としている。
【０１０８】
上記の発明によれば、照明モジュール１Ａ・１Ｂ・１Ｃは、第１の光源（第１ＬＥＤ４ａ）及び第２の光源（第２ＬＥＤ４ｂ）を用いて異なる２方向である導光部材（導光板１０）の第１の端面１０ａ及び第２の端面１０ｂから光を入射する。そして、導光部材（導光板１０）の少なくとも裏面（第２面１２）には光出射構造部１３が形成されているので、第１の光源（第１ＬＥＤ４ａ）及び第２の光源（第２ＬＥＤ４ｂ）から入射したそれぞれの光は導光部材（導光板１０）の内部を導光し、その一部が光出射構造部１３によって光出射面側に導かれ、光出射面から外部に出射される。尚、光出射構造部１３は、例えば凹部からなるものである。
【０１０９】
ここで、本発明においては、光出射構造部１３を導光部材（導光板１０）の裏面（第２面１２）にのみ設けた場合には、導光部材（導光板１０）の内部を導光する光は大部分が光出射面から出射され、導光部材（導光板１０）の裏面（第２面１２）からは僅かしか出射されない。このため、導光部材（導光板１０）の光出射面側の外方から照明モジュール１Ａ・１Ｂ・１Ｃを見た場合には、導光部材（導光板１０）が面状発光体となるので、透光性がなくなり遮光性を有するものとなる。一方、導光部材（導光板１０）の裏面（第２面１２）側の外方から照明モジュール１Ａ・１Ｂ・１Ｃを見た場合には、導光部材（導光板１０）からは光が出射されてこないので透光性を有し、導光部材（導光板１０）の裏面（第２面１２）側から導光部材（導光板１０）の光出射面側の外方を見ることができる。
【０１１０】
さらに、本発明において、光出射構造部１３を導光部材（導光板１０）の表面（第１面１１）及び裏面（第２面１２）の両方に設けた場合には、導光部材（導光板１０）の表面（第１面１１）及び裏面（第２面１２）の両方から光が出射されるので、導光部材（導光板１０）の表面（第１面１１）及び裏面（第２面１２）のいずれの側に対しても遮光性を有するものとなる。
【０１１１】
この結果、透光性及び遮光性の表裏面の切り替えが可能である。
【０１１２】
また、本発明では、光出射構造部１３は、第１の光源（第１ＬＥＤ４ａ）からの光と第２の光源（第２ＬＥＤ４ｂ）からの光とでは光出射特性が異なっている。尚、光出射特性とは、例えば、光出射面に対する光出射角度又は導光成分に対する光出射率である。これにより、第１の光源（第１ＬＥＤ４ａ）又は第２の光源（第２ＬＥＤ４ｂ）での点灯により光出射面から出射される明るさに差を設けることができる。
【０１１３】
さらに、本発明では、第１の光源（第１ＬＥＤ４ａ）及び上記第２の光源（第２ＬＥＤ４ｂ）は、上記導光部材（導光板１０）内部に入射される光量をそれぞれ独立して制御可能となっている。これにより、光量に差を設けた第１の光源（第１ＬＥＤ４ａ）又は第２の光源（第２ＬＥＤ４ｂ）での点灯により、光出射面から出射される明るさに差を設けることができる。
【０１１４】
この結果、照明の明るさを調整し得る照明モジュール１Ａ・１Ｂ・１Ｃを提供することができる。また、照明の明るさを調整することができるということは、透光性及び遮光性の段階的切り替えを行うことができるものとなる。
【０１１５】
また、本発明では、第１の光源（第１ＬＥＤ４ａ）と第２の光源（第２ＬＥＤ４ｂ）とを用いて二方向から導光部材（導光板１０）に光を入射させるので、第１の光源（第１ＬＥＤ４ａ）から遠方の光量不足となる領域に対しては、第２の光源（第２ＬＥＤ４ｂ）にて光量を補うことができる。このため、導光部材（導光板１０）の光出射面における全領域から充分に光を出射することができるので、全面の遮光性を確保することができる。さらに、電力量を増加して第１の光源（第１ＬＥＤ４ａ）のみで遠方の光量不足となる領域に対しても光量を十分にするよりも、第１の光源（第１ＬＥＤ４ａ）と第２の光源（第２ＬＥＤ４ｂ）とを用いて二方向から導光部材（導光板１０）に光を入射させた方が、結果的に電力量が小さくなる。
【０１１６】
したがって、消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュール１Ａ・１Ｂ・１Ｃを提供することができる。
【０１１７】
尚、本発明では、可動シャッター等の可動部材を可動させて光出射特性を制御する方式に比べて光出射特性の制御が容易となる。
【０１１８】
本発明の一態様に係る照明モジュール１Ａ・１Ｂ・１Ｃでは、前記光出射構造部１３は、前記第１の光源（第１ＬＥＤ４ａ）からの光と前記第２の光源（第２ＬＥＤ４ｂ）からの光とでは、前記光出射面における光出射角度が異なる光出射特性を有しているとすることができる。
【０１１９】
これにより、光出射構造部１３の光出射特性として、光出射面における光出射角度を採用することができる。
【０１２０】
ここで、二方向の光に対して、光出射面における光出射角度が異なるようにするためには、導光部材（導光板１０）の裏面（第２面１２）に形成した凹部の側壁の傾斜角度θを二方向で異ならせるという構成を採用することが可能である。
【０１２１】
本発明の一態様に係る照明モジュール１Ａ・１Ｂ・１Ｃでは、前記光出射構造部１３は、前記第１の光源（第１ＬＥＤ４ａ）からの光と前記第２の光源（第２ＬＥＤ４ｂ）からの光とでは、前記導光部材（導光板１０）の内部を導光する光の光量に対する光出射面から出射される光の光量の比率が異なる光出射特性を有しているとすることができる。
【０１２２】
これにより、光出射構造部１３の光出射特性として、光部材の内部を導光する光の光量に対する光出射面から出射される光の光量の比率を採用することができる。
【０１２３】
ここで、このようにするためには、例えば、導光部材（導光板１０）の裏面（第２面１２）に形成した凹部の側壁の傾斜角度θ及び／又は投影面積を二方向で異ならせることによって、導光部材（導光板１０）の内部を導光する光の光量に対する光出射面から出射される光の光量の比率が異なせることができる。或いは、凹部の側壁の傾斜角度及び／又は投影面積が二方向で同じであっても、その反射率を異ならせることによって、導光部材（導光板１０）の内部を導光する光の光量に対する光出射面から出射される光の光量の比率が異なせることができる。
【０１２４】
本発明の一態様に係る照明モジュール１Ａ・１Ｂ・１Ｃでは、前記光出射構造部１３は、前記導光部材（導光板１０）の裏面（第２面１２）に形成された複数の凹部からなっているとすることができる。
【０１２５】
これにより、導光部材（導光板１０）の光出射面とは反対側である該導光部材（導光板１０）の裏面（第２面１２）に形成された複数の凹部からなる光出射構造部１３は反射プリズムとして機能するので、光出射面側に光を反射することにより光出射面から光を出射することができる。
【０１２６】
具体的には、例えば、凹部の側壁の傾斜角度θや投影面積を第１の光源（第１ＬＥＤ４ａ）からの光の方向と第２の光源（第２ＬＥＤ４ｂ）からの光の方向との二方向で異なるように構成することにより、上記第１の光源（第１ＬＥＤ４ａ）からの光と上記第２の光源（第２ＬＥＤ４ｂ）からの光とでは光出射特性が異なるようにすることが可能である。
【０１２７】
この結果、導光部材（導光板１０）の裏面（第２面１２）に凹部を形成するという簡単な構成で、第１の光源（第１ＬＥＤ４ａ）からの光と第２の光源（第２ＬＥＤ４ｂ）からの光とでは光出射特性が異なっているという光出射構造部１３を形成することができる。
【０１２８】
本発明の一態様に係る照明モジュール１Ａ・１Ｂ・１Ｃでは、前記光出射構造部１３における凹部の側壁は、前記導光部材（導光板１０）の裏面（第２面１２）に対して傾斜した形状又は垂直に切り立った形状にてなっており、上記光出射構造部１３における凹部の側壁と上記導光部材（導光板１０）の裏面（第２面１２）とのなす傾斜角度θは、前記第１の光源（第１ＬＥＤ４ａ）側の側壁と前記第２の光源（第２ＬＥＤ４ｂ）側の側壁とでは異なっていることが好ましい。
【０１２９】
このように、光出射構造部１３の凹部の側壁の傾斜角度θが、第１の光源（第１ＬＥＤ４ａ）からの光の方向と第２の光源（第２ＬＥＤ４ｂ）からの光の方向との二方向で異なることにより光出射特性に違いを生じさせることができる。
【０１３０】
すなわち、凹部の側壁の傾斜角度θと光出射方向とには大きな相関がある。このため、傾斜角度θの違いにより、二方向の光に対して光出射方向が異なるようにすることができる。
【０１３１】
また、凹部の側壁の傾斜角度θを二方向の光に対して互いに異なるようにすることにより、光出射面からの光出射率を異ならせるようにすることができる。
【０１３２】
この結果、本発明では、光出射角度と光出射率とを同時に制御することが可能となる。
【０１３３】
本発明の一態様に係る照明モジュール１Ａ・１Ｂ・１Ｃでは、前記光出射構造部１３の凹部における側壁は、前記第１の光源（第１ＬＥＤ４ａ）側の投影面積と前記第２の光源（第２ＬＥＤ４ｂ）側の投影面積とが互いに異なっているとすることができる。
【０１３４】
このように、光出射構造部１３の凹部の側壁の投影面積が、第１の光源（第１ＬＥＤ４ａ）からの光の方向と第２の光源（第２ＬＥＤ４ｂ）からの光の方向との二方向で異なることにより光出射特性に違いを生じさせることができる。
【０１３５】
本発明の一態様に係る照明モジュール１Ｂでは、前記導光部材（導光板１０）の表面（第１面１１）に前記光出射面である第１の光出射面が形成され、かつ該導光部材（導光板１０）の裏面（第２面１２）に該光出射面である第２の光出射面が形成されていると共に、上記導光部材（導光板１０）の内部を導光する光の一部を上記第１の光出射面側に導いて上記第１の光出射面から外部に出射させる前記光出射構造部１３である第１の光出射構造部１３が上記第２の光出射面に形成されており、かつ上記導光部材（導光板１０）の内部を導光する光の一部を上記第２の光出射面側に導いて該第２の光出射面から外部に出射させる上記光出射構造部１３である第２の光出射構造部１３が上記第１の光出射面に形成されており、上記第１の光出射構造部１３と上記第２の光出射構造部１３とは、上記第１の光源（第１ＬＥＤ４ａ）からの光と上記第２の光源（第２ＬＥＤ４ｂ）からの光のうち少なくとも一方に対する光出射特性が異なっているとすることができる。
【０１３６】
本発明では、導光部材（導光板１０）の表面（第１面１１）及び裏面（第２面１２）の両面に互いにタイプが異なる光出射構造部１３を配置する。これにより、導光部材（導光板１０）の表面（第１面１１）及び裏面（第２面１２）の光出射量を、第１の光源（第１ＬＥＤ４ａ）からの光の方向と第２の光源（第２ＬＥＤ４ｂ）からの光の方向との二方向の第１の光源（第１ＬＥＤ４ａ）及び第２の光源（第２ＬＥＤ４ｂ）の出力制御により制御することができる。
【０１３７】
また、照明モジュール１Ｂを例えば窓としての機能を兼ねた窓照明装置に使用する場合において、導光部材（導光板１０）の表面（第１面１１）及び裏面（第２面１２）の光出射量を制御することにより、窓の反対側に対する視認性つまり所謂シースルー性を制御することができる。
【０１３８】
さらに、照明モジュール１Ｂを例えば風呂場等のプライバシーが求められるドア照明装置として使用すれば、入浴中に外部から視認されないようなドア照明として活用することができる。
【０１３９】
本発明の一態様に係る照明モジュール１Ｃでは、前記導光部材（導光板１０）の裏面（第２面１２）における第１領域に前記光出射構造部１３である第３の光出射構造部１３が形成されていると共に、上記第１領域と同一の面であって該第１領域とは異なる第２領域に前記光出射構造部１３である第４の光出射構造部１３が形成されており、上記第３の光出射構造部１３と上記第４の光出射構造部１３とは、上記第１の光源（第１ＬＥＤ４ａ）からの光と上記第２の光源（第２ＬＥＤ４ｂ）からの光のうち少なくとも一方に対する光出射特性が異なっているとすることができる。
【０１４０】
本発明では、導光部材（導光板１０）における同一面の異なる領域に異なるタイプの光出射構造部１３を配置する。これにより、二方向の第１の光源（第１ＬＥＤ４ａ）及び第２の光源（第２ＬＥＤ４ｂ）の出力制御により、導光部材（導光板１０）の出射領域を制御することができる。
【０１４１】
本発明の一態様に係るドア照明装置２０では、上記課題を解決するために、前記記載の照明モジュール１Ａ・１Ｂ・１Ｃを備えていることを特徴としている。
【０１４２】
上記の発明によれば、消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュール１Ａ・１Ｂ・１Ｃを備えたドア照明装置２０を提供することができる。
【０１４３】
例えば、照明モジュール１Ａ・１Ｂ・１Ｃを風呂用ドアとしての機能を兼ねたドア照明装置２０に使用する場合において、導光部材（導光板１０）の表面（第１面１１）及び裏面（第２面１２）の光出射量を制御することにより、ドアの反対側に対する視認性つまり所謂シースルー性を制御し得るドア照明装置２０を提供することができる。
【０１４４】
本発明の一態様に係る窓照明装置３０では、上記課題を解決するために、前記記載の照明モジュール１Ａ・１Ｂ・１Ｃを備えていることを特徴としている。
【０１４５】
上記の発明によれば、消費電力を抑えて全面の遮光性を確保し得ると共に、透光性及び遮光性の表裏面の切り替えが可能であり、かつ透光性及び遮光性の段階的切り替え、及び照明の明るさの調整が可能となる照明モジュール１Ａ・１Ｂ・１Ｃを備えた窓照明装置３０を提供することができる。
【０１４６】
例えば、照明モジュール１Ａ・１Ｂ・１Ｃを例えば窓としての機能を兼ねた窓照明装置３０に使用する場合において、導光部材（導光板１０）の表面（第１面１１）及び裏面（第２面１２）の光出射量を制御することにより、窓の反対側に対する視認性つまり所謂シースルー性を制御し得る窓照明装置３０を提供することができる。
【産業上の利用可能性】
【０１４７】
本発明は、複数の端面から入射した光を導光して光出射面から出射する導光部材と、導光部材の第１の端面に光を入射する第１の光源と、導光部材の第２の端面に光を入射する第２の光源とを備えた照明モジュールに適用することができる。また、その照明モジュールは、例えばドアに取り付けられるドア照明装置、天窓を含む窓の窓照明装置、又はドアや窓以外のパーティション等の住宅用建材、建造物の壁面や床面、戸棚やキッチン収納等の家具、門柱、又は公共向けエクステリア（フェンス、サイン、掲示板、誘導灯、手すり等）に適用することが可能である。
【符号の説明】
【０１４８】
１Ａ      照明モジュール
１Ｂ      照明モジュール
１Ｃ      照明モジュール
３        保護用ガラス
４        ＬＥＤ（光源）
４ａ      第１ＬＥＤ（第１の光源）
４ｂ      第２ＬＥＤ（第２の光源）
１０        導光板（導光部材）
１０ａ      第１の端面
１０ｂ      第２の端面
１１        第１面（導光部材の表面）
１２        第２面（導光部材の裏面）
１３        光出射構造部（光出射構造部、第１の光出射構造部〜第４の光出射構造部）
２０        ドア照明装置
３０        窓照明装置
Ｌａ１      出射光
Ｌａ２      出射光
Ｌｂ１      出射光
Ｌｂ２      出射光
Ｓ１        第１領域
Ｓ２        第２領域
θ        傾斜角度
【図１】
2014107167.tif 000003
【図２】
2014107167.tif 000004
【図３】
2014107167.tif 000005
【図４】
2014107167.tif 000006
【図５】
2014107167.tif 000007
【図６】
2014107167.tif 000008
【図７】
2014107167.tif 000009
【図８】
2014107167.tif 000010
【図９】
2014107167.tif 000011
【図１１】
2014107167.tif 000012
【図１０】
2014107167.tif 000013